(57)【特許請求の範囲】
【請求項１】
車両に搭載された車載カメラから映像を取得し、車両の状態または車両の運行に関連する運行情報を取得し、前記映像のデータおよび前記運行情報のデータを所定の記録媒体に記録する車載記録装置であって、
前記車載カメラの映像をモニタ表示装置に出力するための映像出力部と、
前記映像出力部に出力する映像に、前記運行情報に相当する情報を重ね合わせるデータ処理部と、
を備え、
前記データ処理部は、前記映像出力部に出力する映像に重ね合わせる情報として、前記運行情報のデータを前記記録媒体に記録することが可能か否かを示す情報を含む、
ことを特徴とする車載記録装置。
【請求項２】
前記データ処理部は、前記運行情報として、業務用車両の運行に特有の状態を表すデータ、および業務用車両を運転する乗務員の労働状態の管理に関連するデータの少なくとも一方を扱う、
ことを特徴とする請求項１に記載の車載記録装置。
【請求項３】
前記データ処理部は、前記運行情報として複数種類のデータを扱うと共に、前記運行情報の種類に応じた優先度の高低を識別し、優先度の高い運行情報については、該当する情報の画面上の表示サイズおよび表示色の少なくとも一方の指定を受け付ける表示制御部を含む、
ことを特徴とする請求項１に記載の車載記録装置。
【請求項４】
前記運行情報の画面上の表示状態を指定するための表示指定情報を保持する表示状態保持部を更に備えた、
ことを特徴とする請求項１に記載の車載記録装置。
【請求項５】
自車両に特定の異常状態が発生した時に前記映像のデータおよび前記運行情報のデータを前記記録媒体に自動的に記録する機能を備えた、
ことを特徴とする請求項１乃至請求項４のいずれか１項に記載の車載記録装置。
【発明の詳細な説明】
【技術分野】
【０００１】
本発明は、車載カメラの映像などのデータを所定の記録媒体に自動的に記録する車載記録装置に関し、特に表示を制御するための技術に関する。
【背景技術】
【０００２】
従来より、車両に搭載される車載器の１つとしてドライブレコーダが用いられている。このようなドライブレコーダは、車載カメラで撮影した映像などのデータを、交通事故などのイベント発生時に、または定期的に、所定の記録媒体に記録することができる。
【０００３】
例えば、タクシー車両やその他の業務用車両の運行を行う企業等においては、車両に搭載したドライブレコーダが記録したデータを管理者が解析することにより、このデータを乗務員の安全運転の推進等に役立てることができる。
【０００４】
一方、車載カメラの映像を外部モニタ装置の画面上に表示する機能を搭載したドライブレコーダ（例えば特許文献１）も存在している。特許文献１のドライブレコーダは、複数の車載カメラでそれぞれ撮影された複数の映像を所定のレイアウトに従い合成し、その出力を１つの外部モニタ装置の画面上に表示する機能を備えている。
【先行技術文献】
【特許文献】
【０００５】
【特許文献１】特開２０１３−１６７８６２号公報
【発明の概要】
【発明が解決しようとする課題】
【０００６】
ところで、タクシー車両やその他の業務用車両の運行を行う企業等においては、各車両および各乗務員の運行状態を適切に管理しなければならない。また、各乗務員が労働基準法に違反した状態で乗務することがないように、各乗務員を適切に管理しなければならない。したがって、ドライブレコーダのような車載記録装置を各業務用車両に搭載し、各車両および各乗務員の運行状態を示すデータを自動的に記録することが行われる。つまり、企業内の管理者は、各車両のドライブレコーダが記録したデータを取得して解析することにより、実際の車両の運行状態や乗務員の実際の乗務状態を客観的に把握することが可能である。
【０００７】
しかしながら、実際の車両の運行状態や乗務員の実際の乗務状態を把握するために必要な全てのデータをドライブレコーダで常に自動的に記録できるわけではなく、例えば各乗務員の自己申告により不正確なデータが管理者に提供される可能性もある。
【０００８】
具体的には、通常の運行業務において、乗務員が、メモリカードのような記録媒体をこれから乗務する車両上の車載記録装置に装着し忘れた状態で乗務を開始することがおこりうる。また、記録媒体が不完全な挿入状態で車載記録装置に装着されたまま乗務を開始することも考えられる。また、乗務員がタクシーメータのような特別な車載器のボタン操作を間違えた状態で車両を運行する可能性も考えられる。
【０００９】
したがって、実際の車両の運行状態や乗務員の実際の乗務状態を示すデータの記録に失敗したり、実際の車両の運行状態とは異なる誤ったデータが車載記録装置によって記録される可能性もある。そのため、管理者が正確な情報を把握できない場合がある。
【００１０】
上記のような問題は、乗務員の誤操作によって発生する。したがって、誤操作が生じないように、現在の車両の状態や運行状態を、乗務員に確実に把握させるような表示を行うことが望ましい。しかし、現在のドライブレコーダのような車載器は、できる限り小型化することが不可欠の事項であるため、見やすい大型の表示器を搭載することは難しい。また、特許文献１のように車載器に外部モニタ装置を接続した場合でも、外部モニタ装置の画面には車載カメラの映像だけしか表示できない。
【００１１】
本発明は、上記の状況に鑑みてなされたものであり、乗務員の誤操作を防止するために役立つ表示機能を備えた車載記録装置を提供することを目的とする。
【課題を解決するための手段】
【００１２】
前述した目的を達成するために、本発明に係る車載記録装置は、下記（１）〜（５）を特徴としている。
【００１３】
（１）  車両に搭載された車載カメラから映像を取得し、車両の状態または車両の運行に関連する運行情報を取得し、前記映像のデータおよび前記運行情報のデータを所定の記録媒体に記録する車載記録装置であって、
前記車載カメラの映像をモニタ表示装置に出力するための映像出力部と、
前記映像出力部に出力する映像に、前記運行情報に相当する情報を重ね合わせるデータ処理部と、
を備え、
前記データ処理部は、前記映像出力部に出力する映像に重ね合わせる情報として、前記運行情報のデータを前記記録媒体に記録することが可能か否かを示す情報を含む、
ことを特徴とする。
【００１４】
この車載記録装置によれば、前記映像出力部を利用して、外部のモニタ表示装置に映像を表示することができる。また、この車載記録装置がモニタ表示装置に出力する映像には、前記データ処理部の働きにより、前記運行情報に相当する文字情報などの情報が重畳される。したがって、業務用車両の乗務員は、前記モニタ表示装置の画面の表示内容を参照することにより、車両の状態または車両の運行に関連する運行情報を把握できる。また、車載記録装置自体に大型の表示部を搭載する必要がないため、車載記録装置を小型化できる。
更に、この車載記録装置によれば、前記運行情報のデータを前記記録媒体に記録できないような状態で業務用車両の運行を開始しようとすると、異常であることが前記モニタ表示装置の画面に表示されるので、乗務員は異常の発生にすぐに気づくことができる。したがって、前記運行情報のデータが記録されない状態のまま運行業務が開始されるのを未然に防止できる。
【００１５】
（２）  前記（１）に記載の車載記録装置であって、
前記データ処理部は、前記運行情報として、業務用車両の運行に特有の状態を表すデータ、および業務用車両を運転する乗務員の労働状態の管理に関連するデータの少なくとも一方を扱う、
ことを特徴とする。
【００１６】
この車載記録装置によれば、業務用車両を運行する企業において、所定の管理者が業務用車両の運行状態の管理や、乗務員の労務管理を行う際に役立つ運行情報を自動的に記録することができる。また、乗務員が実際に業務用車両を運行する際には、前記運行情報が文字情報などの情報としてモニタ表示装置の画面に表示されるので、乗務員は、車載記録装置が現在記録している運行情報を把握することができる。したがって、例えば何らかの操作ミスによって運行情報を記録できない異常な状態であれば、当日の乗務を開始する時に、この異常に乗務員がすぐに気づくことになる。つまり、業務用車両の当日の運行業務が終了した後で、運行情報を記録できていなかったことに気づくような事態が生じるのを未然に防止できる。
【００１７】
（３）  前記（１）に記載の車載記録装置であって、
前記データ処理部は、前記運行情報として複数種類のデータを扱うと共に、前記運行情報の種類に応じた優先度の高低を識別し、優先度の高い運行情報については、該当する情報の画面上の表示サイズおよび表示色の少なくとも一方の指定を受け付ける表示制御部を含む、
ことを特徴とする。
【００１８】
この車載記録装置によれば、優先度の高い運行情報が目立つようにこれを示す情報の表示色や表示サイズを調整することができる。したがって、優先度の高い運行情報の表示画面における視認性を高めることができる。
【００１９】
（４）  前記（１）に記載の車載記録装置であって、
前記運行情報の画面上の表示状態を指定するための表示指定情報を保持する表示状態保持部を更に備えた、
ことを特徴とする。
【００２０】
この車載記録装置によれば、前記運行情報を最適な状態で表示するための表示指定情報を事前に決定して前記表示状態保持部に書き込んでおくことにより、業務用車両の運行状態に適した使いやすい状態で前記運行情報を表示可能になる。
【００２３】
（５）  前記（１）〜（４）のいずれかの車載記録装置であって、
自車両に特定の異常状態が発生した時に前記映像のデータおよび前記運行情報のデータ
を前記記録媒体に自動的に記録する機能を備えた、
ことを特徴とする。
【００２４】
この車載記録装置によれば、例えば危険な状況が発生した時に、映像のデータおよび運行情報のデータを自動的に記録することができる。したがって、この車載記録装置が記録したデータの内容を解析することにより、管理者が危険な状況の発生状態を把握し、安全運転の推進に役立てることができる。
【発明の効果】
【００２５】
本発明の車載記録装置によれば、業務用車両の乗務員は、前記モニタ表示装置の画面の表示内容を参照することにより、車両の状態または車両の運行に関連する運行情報を把握できる。これにより、乗務員の誤操作を防止できる。また、車載記録装置自体に大型の表示部を搭載する必要がないため、車載記録装置を小型化できる。
【００２６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２７】
【図１】図１は、本発明の実施形態に係る車載記録装置を含むシステムの構成例を示すブロック図である。
【図２】図２は、運行情報管理テーブルの構成例を示す模式図である。
【図３】図３は、外部モニタ表示装置の具体的な画面表示例を示す正面図である。
【図４】図４は、ドライブレコーダの特徴的な動作を示すフローチャートである。
【発明を実施するための形態】
【００２８】
本発明に関する具体的な実施形態について、各図を参照しながら以下に説明する。
【００２９】
＜システム全体の概要の説明＞
本発明の実施形態の車載記録装置を含むシステムの構成例を図１に示す。図１に示すシステムにおいては、ドライブレコーダ１０が本発明の車載記録装置に相当する。
【００３０】
図１に示したシステムは、タクシー車両のような業務用車両に搭載した状態で使用される。このシステムは、図１に示すように、ドライブレコーダ１０と、複数台（ｎ個）の車載カメラ３１（１）〜３１（ｎ）と、ＧＰＳ受信機３２と、車速センサ３３と、外部モニタ表示装置４０と、タクシーメータ車載器５０とを有している。
【００３１】
車載カメラ３１（１）〜３１（ｎ）の各々は、撮影方向をそれぞれ異なる方向に向けた状態で車室内に設置されている。代表例としては、自車両の進行方向前方や後方の道路等を窓ガラス越しに撮影したり、車外の左右方向に存在する被写体を撮影したり、自車両を運転する乗務員の運転状況を撮影できるような状態で車載カメラ３１（１）〜３１（ｎ）が設置される。乗務員の運転状況を撮影することにより、該当する乗務員が安全運転を行っているかどうかを企業内の管理者が把握するために利用可能な映像が得られる。
【００３２】
図１に示したドライブレコーダ１０は、一般的なドライブレコーダと同様に、何らかのイベントが発生した時に、または定期的に、車載カメラ３１（１）〜３１（ｎ）が撮影した映像のデータを取り込んで、記録媒体１５にデータを記録（保存）することができる。
【００３３】
また、このドライブレコーダ１０は、映像の他に、業務用車両の運行に特有の状態を表すデータ、および業務用車両を運転する乗務員の労働状態の管理に関連するデータの少なくとも一方を含む「運行情報」のデータも、記録媒体１５に自動的に記録することができる。「運行情報」については後で詳細に説明する。
【００３４】
また、図１に示したドライブレコーダ１０は、車載カメラ３１（１）〜３１（ｎ）の映像を外部の表示装置を利用して表示できるように、映像信号を出力する機能を搭載している。また、このドライブレコーダ１０は、出力する映像信号の中に、前記「運行情報」の内容を表す文字情報を重ね合わせる特徴的な機能も搭載している。
【００３５】
図１のシステムにおいては、ドライブレコーダ１０の出力する映像信号が外部モニタ表示装置４０に入力される。したがって、外部モニタ表示装置４０の画面に、車載カメラ３１（１）〜３１（ｎ）の映像と「運行情報」の文字情報とが表示される。外部モニタ表示装置４０については、様々な情報を表示するために車両に標準的に搭載されるテレビモニタ装置や、カーナビゲーションシステムの表示装置を利用することが想定される。
【００３６】
タクシーメータ車載器５０は、自車両がタクシー車両として営業するために必要な機能を搭載している。すなわち、自車両の運行状態に応じて適切な運賃を表示する機能や、運賃の精算や領収書の発行などの機能を有している。また、タクシーメータ車載器５０はタクシー車両の様々な運行状態を切り替えるために、図示しない様々な操作ボタンを有している。現在の運行状態を表す様々な情報を、タクシーメータ車載器５０からドライブレコーダ１０に入力することができる。
【００３７】
＜ドライブレコーダ１０の構成＞
図１に示すように、ドライブレコーダ１０は、マイクロコンピュータ（ＣＰＵ）１１、不揮発性メモリ１２、メモリカードスロット１４、記録媒体１５、メモリ（ＳＤＲＡＭ）１６、Ｇ（加速度）センサ１７、インタフェース（Ｉ／Ｆ）１８（１）〜１８（ｎ）、１９、２３、および２４、速度インタフェース２０、データ処理部２１、およびモニタ映像出力部２２を備えている。
【００３８】
マイクロコンピュータ１１は、予め内部に組み込まれているプログラムを実行することにより、ドライブレコーダ１０の全体の制御に必要な動作を行う。すなわち、車載カメラ３１（１）〜３１（ｎ）の撮影により得られた映像のデータや、前記「運行情報」のデータを記録媒体１５に記録するための制御や、前記映像および前記「運行情報」を外部モニタ表示装置４０の画面で表示するために必要な制御をマイクロコンピュータ１１が実施する。
【００３９】
不揮発性メモリ１２は、データの読み出しおよび書き換えが可能な半導体メモリであり、図１に示すように運行情報管理テーブル１３のデータを保持している。詳細については後述するが、運行情報管理テーブル１３は、前記「運行情報」を記録したり表示するために必要な管理情報を保持している。運行情報管理テーブル１３の内容は、マイクロコンピュータ１１の管理の下で随時更新される。
【００４０】
記録媒体１５は、データの読み出しおよび書き換えが可能な大容量の半導体メモリを内蔵したカード形状の媒体であり、映像などの大量のデータを蓄積することができる。また、記録媒体１５にはそれの所有者（あるいは利用者）である特定の乗務員に対応付けられた固有のＩＤなどの情報が事前に書き込まれている。
【００４１】
メモリカードスロット１４は、所定規格の記録媒体１５をマイクロコンピュータ１１と接続するためのインタフェースであり、着脱自在な状態で記録媒体１５を物理的に保持するカード挿入口（カードスロット）を有している。また、同時に複数の記録媒体１５をメモリカードスロット１４に装着することも可能である。
【００４２】
メモリ１６は、マイクロコンピュータ１１のアクセスによりデータの読み出しおよび書き込みが可能な揮発性の半導体メモリ（ＳＤＲＡＭ）である。マイクロコンピュータ１１はメモリ１６を一時記憶用の記憶領域として利用する。
【００４３】
Ｇセンサ１７は、このドライブレコーダ１０を搭載した車両に加わる加速度を検出することができる。すなわち、自車両の急加速、急減速、交通事故などの場合に、この異常を表す信号を出力することができる。Ｇセンサ１７は、インタフェース２３を介してマイクロコンピュータ１１と接続されている。
【００４４】
インタフェース（Ｉ／Ｆ）１８（１）〜１８（ｎ）は、車載カメラ３１（１）〜３１（ｎ）のそれぞれが撮影した映像の信号を取り込み、マイクロコンピュータ１１が処理するのに適した画像データに変換してマイクロコンピュータ１１に与えることができる。
【００４５】
ＧＰＳ受信機３２は、複数のＧＰＳ（Global Positioning System）衛星から受信した電波に基づき、受信地点の現在位置を表す緯度及び経度の位置情報を算出することができる。インタフェース１９は、ＧＰＳ受信機３２が算出した位置情報を、自車両の現在位置としてマイクロコンピュータ１１に与えることができる。
【００４６】
車速センサ３３は、自車両のトランスミッションの出力軸の近傍に設置されており、前記出力軸が所定量回動する毎に、車速パルスの信号を出力することができる。したがって、一定時間あたりの車速パルスの出現数、あるいは車速パルスの出現周期を自車両の走行速度（車速）に対応付けることができる。
【００４７】
速度インタフェース２０は、車速センサ３３から出力される車速パルスの信号に基づいて、自車両の走行速度を算出し、算出した車速情報をマイクロコンピュータ１１に与えることができる。
【００４８】
インタフェース２４は、様々な運行情報や、状態を示す信号をタクシーメータ車載器５０から受け取ってマイクロコンピュータ１１に与えることができる。
【００４９】
モニタ映像出力部２２は、車載カメラ３１（１）〜３１（ｎ）の映像に相当する画像データをマイクロコンピュータ１１から受け取って、外部モニタ表示装置４０が入力可能な映像信号を生成する。つまり、図１のようにモニタ映像出力部２２の出力端子を外部モニタ表示装置４０の映像入力端子と接続することにより、車載カメラ３１（１）〜３１（ｎ）の撮影した映像を外部モニタ表示装置４０の画面に表示することができる。
【００５０】
データ処理部２１は、車載カメラ３１（１）〜３１（ｎ）の映像に相当する画像データと、前記「運行情報」とをマイクロコンピュータ１１から受け取り、これらを所定の状態で重ね合わせるようにデータ処理を行い、その結果をモニタ映像出力部２２に出力する。つまり、データ処理部２１を備えることにより、例えば図３に示すように、車載カメラ３１（１）〜３１（ｎ）の映像だけでなく、「運行情報」の文字情報も外部モニタ表示装置４０の画面上に同時に表示することが可能になる。
【００５１】
＜運行情報管理テーブル１３の構成例＞
運行情報管理テーブル１３の具体的な構成例を図２に示す。図２に示すように、本実施形態においては、運行情報Ｄｏとして以下に示す各項目を運行情報管理テーブル１３で管理している。
【００５２】
入庫／出庫状態Ｄｏ０１
一般道／高速道／専用道状態Ｄｏ０２
記録媒体挿入状態Ｄｏ０３
累積停車時間Ｄｏ０４
停止時間１０分バーＤｏ０５
運動走行警報カウントダウンＤｏ０６
空車／実車状態Ｄｏ０７
正乗務員／副乗務員Ｄｏ０８
陸送モードＤｏ０９
作業時間Ｄｏ１０
位置情報Ｄｏ１１
車速Ｄｏ１２
加速度Ｄｏ１３
【００５３】
入庫／出庫状態Ｄｏ０１は、タクシー車両である自車両が現在「入庫」、「出庫」のいずれの状態であるかを表す。入庫／出庫状態Ｄｏ０１のデータの内容Ｄｏ０１ａは、タクシーメータ車載器５０に対する乗務員のボタン操作に応じて、タクシーメータ車載器５０の状態と一致するように、マイクロコンピュータ１１が切り替える。
【００５４】
一般道／高速道／専用道状態Ｄｏ０２は、タクシー車両である自車両が現在走行している道路の種類が「一般道」、「高速道」、「専用道」のいずれであるかを表す。一般道／高速道／専用道状態Ｄｏ０２のデータの内容Ｄｏ０２ａは、タクシーメータ車載器５０に対する乗務員のボタン操作に応じて、タクシーメータ車載器５０の状態と一致するように、マイクロコンピュータ１１が切り替える。
【００５５】
記録媒体挿入状態Ｄｏ０３は、正規の記録媒体１５に対してマイクロコンピュータ１１が正しくアクセスできる（データの読み出しおよび書き込みができる）状態であるか否かをマイクロコンピュータ１１が識別した結果を表す。記録媒体挿入状態Ｄｏ０３のデータの内容Ｄｏ０３ａは、マイクロコンピュータ１１の識別結果と一致するように更新される。
【００５６】
累積停車時間Ｄｏ０４は、自車両が「空車」状態で停車していた時間長の当日における累積値を表す。累積停車時間Ｄｏ０４のデータの内容Ｄｏ０４ａは、マイクロコンピュータ１１の制御により逐次更新される。
【００５７】
停止時間１０分バーＤｏ０５は、自車両が「空車」状態で停車してから現在までの経過時間を最長１０分のバーの長さで表示するための情報である。停止時間１０分バーＤｏ０５のデータの内容Ｄｏ０５ａは、マイクロコンピュータ１１の制御により逐次更新される。
【００５８】
運動走行警報カウントダウンＤｏ０６は、何らかの異常な走行状態を検知した場合に警報を発生するまでの残り時間を表す情報である。運動走行警報カウントダウンＤｏ０６のデータの内容は、マイクロコンピュータ１１の制御により逐次更新される。
【００５９】
空車／実車状態Ｄｏ０７は、タクシー車両である自車両が現在「空車」、「実車」のいずれの状態であるかを表す。空車／実車状態Ｄｏ０７のデータの内容Ｄｏ０７ａは、タクシーメータ車載器５０に対する乗務員のボタン操作に応じて、タクシーメータ車載器５０の状態と一致するように、マイクロコンピュータ１１が切り替える。
【００６０】
正乗務員／副乗務員Ｄｏ０８は、自車両を現在運転している乗務員が「正乗務員」か「副乗務員」かの区分を表す。正乗務員／副乗務員Ｄｏ０８のデータの内容Ｄｏ０８ａは、ドライブレコーダ１０に現在装着されている記録媒体１５に保持されている乗務員ＩＤ番号などに基づいて、マイクロコンピュータ１１が更新する。
【００６１】
陸送モードＤｏ０９は、自車両が現在「陸送モード」で走行しているか否かを表す。陸送モードＤｏ０９のデータの内容Ｄｏ０９ａは、ドライブレコーダ１０に対する乗務員のボタン操作に応じて、マイクロコンピュータ１１が切り替える。
【００６２】
作業時間Ｄｏ１０は、記録媒体１５に対応する現在の乗務員の当日、または当月における作業時間の累積値を表す。この作業時間は、乗務員が労働基準法の基準を超える労働をしていないかを判断する際の指標として利用される。作業時間Ｄｏ１０のデータの内容Ｄｏ１０ａは、マイクロコンピュータ１１によって逐次更新される。
【００６３】
位置情報Ｄｏ１１は、ＧＰＳ受信機３２によって算出される自車両の現在位置を表す。位置情報Ｄｏ１１のデータの内容Ｄｏ１１ａは、マイクロコンピュータ１１によって最新の情報に逐次更新される。
【００６４】
車速Ｄｏ１２は、車速センサ３３の出力する車速パルスに基づいて算出される自車両の現在の車速［ｋｍ／ｈ］を表す。車速Ｄｏ１２のデータの内容Ｄｏ１２ａは、マイクロコンピュータ１１によって最新の情報に逐次更新される。
【００６５】
加速度Ｄｏ１３は、Ｇセンサ１７の出力する信号に相当する現在の加速度を表す。加速度Ｄｏ１３のデータの内容Ｄｏ１３ａは、マイクロコンピュータ１１によって最新の情報に逐次更新される。
【００６６】
図２に示した運行情報管理テーブル１３には、運行情報Ｄｏの各項目Ｄｏ０１〜Ｄｏ１３の各々について、データの内容の他に、「表示有無」、「重要度」、「文字サイズ」、および「表示色」の情報を保持する領域が設けてある。例えば、入庫／出庫状態Ｄｏ０１については、内容Ｄｏ０１ａの他に、「表示有無」Ｄｏ０１ｂ、「重要度」Ｄ０１ｃ、「文字サイズ」Ｄｏ０１ｄ、および「表示色」Ｄｏ０１ｅの各情報を運行情報管理テーブル１３で管理することができる。
【００６７】
ここで、「表示有無」Ｄｏ０１ｂは、内容Ｄｏ０１ａの文字情報を出力の映像中に表示するか否かを表す。「重要度」Ｄｏ０１ｃは、入庫／出庫状態Ｄｏ０１の項目に関する重要度の高／低の区分を表す。「文字サイズ」Ｄｏ０１ｄは、内容Ｄｏ０１ａの文字情報を表示する場合の文字サイズの指定値を表す。「表示色」Ｄｏ０１ｅは、内容Ｄｏ０１ａの文字情報を表示する場合の表示色の指定値を表す。
【００６８】
したがって、管理者等のユーザが必要に応じて運行情報管理テーブル１３の各情報を書き換えることにより、運行情報Ｄｏに関する様々な表示制御を実施することが可能になる。なお、運行情報管理テーブル１３の各情報を書き換える方法については、記録媒体１５からマイクロコンピュータ１１を介して不揮発性メモリ１２にデータを転送してもよいし、図示しない専用の端末をマイクロコンピュータ１１と接続して書き換えてもよい。
【００６９】
なお、例えばユーザが操作可能な多数のスイッチを設けて、運行情報管理テーブル１３の代わりに使用することも可能である。つまり、各スイッチの状態を運行情報管理テーブル１３の各情報と同じように扱うことにより、運行情報の表示を制御することが可能である。但し、スイッチの数が増えると余分な設置スペースが必要になり部品コストも増えるので、運行情報管理テーブル１３を利用することが望ましい。
【００７０】
＜画面表示例＞
外部モニタ表示装置４０の具体的な画面表示例を図３に示す。図３に示す例では、外部モニタ表示装置４０の表示画面４３の表示内容に、主映像４２と、運行情報表示部４１とが含まれている。
【００７１】
ここで、主映像４２は、車載カメラ３１（１）〜３１（ｎ）のいずれかが撮影した映像に相当する。また、運行情報表示部４１の表示内容は、データ処理部２１が映像上に重ねた運行情報Ｄｏに相当する。図３に示す例では、運行情報表示部４１に、多数の様々な表示４１ａ〜４１ｋが含まれている。
【００７２】
図３の運行情報表示部４１にある表示４１ａは、「出庫」を表す文字のパターンであり、運行情報管理テーブル１３上の入庫／出庫状態Ｄｏ０１の内容Ｄｏ０１ａに相当する可視表示情報である。つまり、内容Ｄｏ０１ａが「出庫」に相当する値である時に、マイクロコンピュータ１１が内容Ｄｏ０１ａの文字情報「出庫」をデータ処理部２１に出力すると、データ処理部２１が映像上に「出庫」の文字情報を重ね合わせるため、図３の表示４１ａが表示される。
【００７３】
表示４１ｂは、「専用」を表す文字のパターンであり、運行情報管理テーブル１３上の一般道／高速道／専用道状態Ｄｏ０２の内容Ｄｏ０２ａに相当する可視表示情報である。つまり、内容Ｄｏ０２ａが「専用」に相当する値（専用道）である時に、マイクロコンピュータ１１が内容Ｄｏ０２ａの文字情報「専用」をデータ処理部２１に出力すると、データ処理部２１が映像上に「専用」の文字情報を重ね合わせるため、図３の表示４１ｂが表示される。
【００７４】
表示４１ｃは、「実車」を表す文字のパターンであり、運行情報管理テーブル１３上の空車／実車状態Ｄｏ０７の内容Ｄｏ０７ａに相当する可視表示情報である。つまり、内容Ｄｏ０７ａが「実車」に相当する値である時に、マイクロコンピュータ１１が内容Ｄｏ０７ａの文字情報「実車」をデータ処理部２１に出力すると、データ処理部２１が映像上に「実車」の文字情報を重ね合わせるため、図３の表示４１ｃが表示される。
【００７５】
表示４１ｄは、「正乗」を表す文字のパターンであり、運行情報管理テーブル１３上の正乗務員／副乗務員Ｄｏ０８の内容Ｄｏ０８ａに相当する可視表示情報である。つまり、内容Ｄｏ０８ａが「正乗務員」に相当する値である時に、マイクロコンピュータ１１が内容Ｄｏ０８ａの文字情報「正乗」をデータ処理部２１に出力すると、データ処理部２１が映像上に「正乗」の文字情報を重ね合わせるため、図３の表示４１ｄが表示される。
【００７６】
表示４１ｅは、「陸送」を表す文字のパターンであり、運行情報管理テーブル１３上の陸送モードＤｏ０９の内容Ｄｏ０９ａに相当する可視表示情報である。つまり、内容Ｄｏ０９ａが陸送モード中に相当する値である時に、マイクロコンピュータ１１が内容Ｄｏ０９ａに相当する文字情報「陸送」をデータ処理部２１に出力すると、データ処理部２１が映像上に「陸送」の文字情報を重ね合わせるため、図３の表示４１ｅが表示される。
【００７７】
表示４１ｆは、「連続１：２３」を表す文字のパターンであり、運行情報管理テーブル１３上の累積停車時間Ｄｏ０４の内容Ｄｏ０４ａに相当する可視表示情報である。つまり、内容Ｄｏ０４ａの値が「１時間２３分」である時に、マイクロコンピュータ１１が内容Ｄｏ０４ａに相当する文字情報「連続１：２３」をデータ処理部２１に出力すると、データ処理部２１が映像上に「連続１：２３」の文字情報を重ね合わせるため、図３の表示４１ｆが表示される。
【００７８】
表示４１ｇは、「作業９：００」を表す文字のパターンであり、運行情報管理テーブル１３上の作業時間Ｄｏ１０の内容Ｄｏ１０ａに相当する可視表示情報である。つまり、内容Ｄｏ１０ａが９時間に相当する値である時に、マイクロコンピュータ１１が内容Ｄｏ１０ａに相当する文字情報「作業９：００」をデータ処理部２１に出力すると、データ処理部２１が映像上に「作業９：００」の文字情報を重ね合わせるため、図３の表示４１ｇが表示される。
【００７９】
表示４１ｈは「停止４：５６」を表す文字のパターンであり、表示４１ｉは「停止時間」の文字と１０個の矩形パターンとで構成される「停止時間１０分バー」を表している。これらは、運行情報管理テーブル１３上の停止時間１０分バーＤｏ０５の内容Ｄｏ０５ａに相当する可視表示情報である。つまり、内容Ｄｏ０５ａが「４分５６秒」の値である時に、マイクロコンピュータ１１が内容Ｄｏ０５ａに相当する文字情報として、「停止４：５６」と、「停止時間」と、１０個の矩形パターンとで構成される「停止時間１０分バー」の文字をデータ処理部２１に出力すると、データ処理部２１が映像上に該当する文字情報を重ね合わせるため、図３の表示４１ｈおよび４１ｉが表示される。表示４１ｉの「停止時間１０分バー」は、内側を塗りつぶした矩形の数と、枠だけの矩形の数との組み合わせにより表現されるバーの長さにより、１分単位で時間長を表現できる。
【００８０】
表示４１ｋは矩形パターンで囲った文字「１」であり、表示４１ｊは、矩形パターンで囲った文字「２」である。表示４１ｋおよび４１ｊは、記録媒体挿入状態Ｄｏ０３の内容Ｄｏ０３ａに相当する。つまり、表示４１ｋは１番目の記録媒体１５がメモリカードスロット１４に正しく装着されていることを表し、４１ｊは２番目の記録媒体１５がメモリカードスロット１４に正しく装着されていることを表す。
【００８１】
なお、画面上の運行情報表示部４１を表示する位置や、表示範囲については、必要に応じて変更することが可能である。また、この表示位置や表示範囲を指定するための情報を運行情報管理テーブル１３上に追加することも可能である。
【００８２】
＜動作の説明＞
ドライブレコーダ１０の特徴的な動作を図４に示す。すなわち、マイクロコンピュータ１１は、図２に示したような構成の運行情報管理テーブル１３に基づいて図４に示す動作を実施する。これにより、図３に示した運行情報表示部４１の実際の表示形態をユーザの要望に対応して様々に変化させることが可能である。図４に示した動作について以下に説明する。
【００８３】
記録媒体１５上にデータを記録する際には、マイクロコンピュータ１１は最初に図４のステップＳ１１で車載カメラ３１（１）〜３１（ｎ）のいずれかが撮影した映像のデータをインタフェース１８（１）〜１８（ｎ）から入力する。
【００８４】
次のステップＳ１２では、記録する映像および表示する映像に対して、運行情報Ｄｏを付けるか否かをマイクロコンピュータ１１が識別する。図２に示す運行情報管理テーブル１３を利用する場合には、運行情報Ｄｏの項目毎に、表示有無の情報Ｄｏ０１ｂ〜Ｄｏ１３ｂが保持されているので、これらに従い、項目毎に表示の有無を決めることができる。そして、「表示有」の場合にはＳ１３に進む。
【００８５】
ステップＳ１３では、運行情報Ｄｏの「表示有」の項目について、該当する運行情報の文字情報が外部モニタ表示装置４０の画面に表示されるように、マイクロコンピュータ１１が文字情報をデータ処理部２１に出力する。
【００８６】
例えば、情報Ｄｏ０１ｂの内容が「表示有」の場合には、入庫／出庫状態Ｄｏ０１の内容Ｄｏ０１ａに相当する文字情報を、図３の表示４１ａのように表示する。情報Ｄｏ０１ｂの内容が「表示なし」の場合には、表示４１ａが表示されないことになる。
【００８７】
ステップＳ１４では、表示する映像に対して、運行情報Ｄｏの表示色を変更するか否かをマイクロコンピュータ１１が識別する。本実施形態では、運行情報Ｄｏに含まれる多数の項目のうち、重要度の低い情報については事前に定めた初期値の表示色のみを利用し、重要度の高い情報についてはユーザが指定した表示色に変更することができる。表示色を指定色に変更する場合には、次のステップＳ１５に進む。
【００８８】
ステップＳ１５では、マイクロコンピュータ１１は、運行情報Ｄｏのうち重要度の高い項目について、文字の表示色を指定色に変更する。例えば、記録媒体挿入状態Ｄｏ０３の項目は非常に重要であるので、その重要度を表す情報Ｄｏ０３ｃには「重要度高」を示すデータが保持される。また、情報Ｄｏ０３ｅとして指定色を表すデータを保持することができる。その場合には、記録媒体挿入状態Ｄｏ０３を図３の表示４１ｊ、４１ｋとして表示する際に、表示色が情報Ｄｏ０３ｅで指定された色に変更される。重要度の低い項目や表示色を指定しない項目については、初期値の表示色で表示される。
【００８９】
ステップＳ１６では、表示する映像に対して、運行情報Ｄｏの文字サイズを変更するか否かをマイクロコンピュータ１１が識別する。本実施形態では、運行情報Ｄｏに含まれる多数の項目のうち、重要度の低い情報については事前に定めた初期値の文字サイズのみを利用し、重要度の高い情報についてはユーザが指定した文字サイズに変更することができる。文字サイズを指定サイズに変更する場合には、次のステップＳ１７に進む。
【００９０】
ステップＳ１７では、マイクロコンピュータ１１は、運行情報Ｄｏのうち重要度の高い項目について、文字サイズを指定サイズに変更する。例えば、記録媒体挿入状態Ｄｏ０３の項目は非常に重要であるので、その重要度を表す情報Ｄｏ０３ｃには「重要度高」を示すデータが保持される。また、情報Ｄｏ０３ｄとして文字サイズを表すデータを保持することができる。その場合には、記録媒体挿入状態Ｄｏ０３を図３の表示４１ｊ、４１ｋとして表示する際に、文字サイズが情報Ｄｏ０３ｄで指定された文字サイズに変更される。重要度の低い項目や文字サイズを指定しない項目については、初期値の文字サイズで表示される。
【００９１】
ステップＳ１８では、マイクロコンピュータ１１は、上記各ステップＳ１３、Ｓ１５、Ｓ１７の結果を反映した状態で、運行情報Ｄｏのうち該当する項目の内容を表す文字情報をデータ処理部２１に出力し、外部モニタ表示装置４０の表示内容に追加する。
【００９２】
なお、ドライブレコーダ１０における基本的な動作については、一般的なドライブレコーダと同様である。すなわち、トリガ記録モードで動作する場合には、例えばＧセンサ１７が大きな加速度を検知した時に発生するトリガを契機として一定時間（例えば６０秒間）の記録動作を実行する。また、過去一定時間（例えば３０秒間）に撮影された映像を一時データとしてメモリ１６上などの領域に常時記録しておくことにより、トリガが発生したタイミングの前で撮影された一定時間の映像もメモリ１６から読み出して保存することができる。また、常時記録モードで動作する場合には、撮影した映像を短い周期で繰り返し取得し、全ての映像データを記録媒体１５に記録する。また、常時記録モードの場合には、大きな加速度の発生などのイベントが発生した場合に、イベントの有無およびその種類を表すデータを映像と対応付けて記録媒体１５上に記録する。
【００９３】
また、記録媒体１５に記録されたデータの解析を行う場合には、業務用車両を管理する企業の事務所等に設置された管理用のコンピュータを使用する。通常は、当日の運行業務が終了した時に、各々の乗務員がデータの記録された記録媒体１５をドライブレコーダ１０から取り外して事務所内に持ち込み、管理用のコンピュータにデータを転送する。そして、管理用のコンピュータ上で所定の解析用プログラムを実行することにより、乗務員の安全運転の管理や、労務管理に利用可能なデータが得られる。
【００９４】
＜ドライブレコーダ１０の利点＞
図１に示したドライブレコーダ１０は、その外部に接続する外部モニタ表示装置４０を用いて映像等を表示するので、ドライブレコーダ１０に大型の表示器を内蔵する必要がなく小型化することが容易である。
【００９５】
図１に示したドライブレコーダ１０を用いることにより、例えば図３に示すように表示画面４３上の適当な運行情報表示部４１に様々な運行情報を文字情報として表示するので、乗務員は業務用車両の運行に関する特有の状態や、乗務員の労働状態の管理に関連する状態を表示内容の参照により瞬時に把握することができる。
【００９６】
例えば、乗務員が当日の業務用車両の運行業務を開始する際に、ドライブレコーダ１０に対する記録媒体１５の装着を忘れたり、装着が不完全な状態のままで運行業務を開始する可能性が考えられる。その場合は、当日の運行業務が終了した後で、データの記録が行われなかったことに乗務員が気づくことになり、貴重なデータの欠落が生じることになる。しかし、図１のドライブレコーダ１０を使用する場合には、外部モニタ表示装置４０の画面上の運行情報表示部４１の表示内容から、運行業務を開始する前に問題があることに乗務員が気づくので、データの記録に失敗するのを未然に防止できる。
【００９７】
また、乗務員の労働状態の管理に関連する状態（作業時間Ｄｏ１０等）を運行情報表示部４１に表示することにより、乗務員が労働基準法に違反した状態で運行を開始するのを未然に防止できる。
【００９８】
また、乗務員がタクシーメータ車載器５０等に対するボタン操作を誤って、そのまま運行乗務を開始または継続した場合には、間違った運賃の表示など様々な問題が発生する可能性があり、運行業務の効率低下に繋がる。しかし、ドライブレコーダ１０を使用する場合には、運行情報が外部モニタ表示装置４０の画面上に表示されるので、乗務員は操作ミスの発生にすぐに気づくことになる。したがって、運行業務を効率的に行うことが可能になる。
【００９９】
また、他の車載器と共有することが可能な外部モニタ表示装置４０を表示器として使用するので、ドライブレコーダ１０自体の構成要素を従来よりも削減することが可能であり、装置のコストも低減できる。
【０１００】
また、外部モニタ表示装置４０の画面に表示する運行情報の内容を、運行情報管理テーブル１３を利用して管理しているので、運行情報の種類毎に、表示／非表示を選択したり、重要度の高い運行情報を指定した文字サイズや表示色により目立つ状態で表示することもできる。したがって、運行業務の内容に合わせて運行情報の表示形態をユーザが最適化することが可能である。
【０１０１】
＜補足説明＞
上述のドライブレコーダ１０に関する特徴的な事項について以下に纏めて列挙する。
［１］  車両に搭載された車載カメラ（３１）から映像を取得し、車両の状態または車両の運行に関連する運行情報（Ｄｏ）を取得し、前記映像のデータおよび前記運行情報のデータを所定の記録媒体（１５）に記録する車載記録装置であって、
前記車載カメラの映像を外部モニタ表示装置（４０）に出力するためのモニタ映像出力部（２２）と、
前記映像出力部に出力する映像に、前記運行情報に相当する情報を重ね合わせるデータ処理部（２１）と、
を備えたことを特徴とする車載記録装置（ドライブレコーダ１０）。
【０１０２】
［２］  前記データ処理部（２１）は、前記運行情報（Ｄｏ）として、業務用車両の運行に特有の状態を表すデータ、および業務用車両を運転する乗務員の労働状態の管理に関連するデータの少なくとも一方（Ｄｏ０１〜Ｄｏ１０）を扱う、
ことを特徴とする前記［１］に記載の車載記録装置（ドライブレコーダ１０）。
【０１０３】
［３］  前記データ処理部（２１）は、前記運行情報として複数種類のデータを扱うと共に、前記運行情報の種類に応じた優先度の高低を識別し、優先度の高い運行情報については、該当する情報の画面上の表示サイズおよび表示色の少なくとも一方の指定を受け付ける表示制御部（Ｓ１４〜Ｓ１７）を含む、
ことを特徴とする前記［１］に記載の車載記録装置（ドライブレコーダ１０）。
【０１０４】
［４］  前記運行情報の画面上の表示状態を指定するための表示指定情報（運行情報管理テーブル１３）を保持する表示状態保持部（不揮発性メモリ１２）を更に備えた、
ことを特徴とする前記［１］に記載の車載記録装置（ドライブレコーダ１０）。
【０１０５】
［５］  前記データ処理部（２１）は、少なくとも、前記運行情報のデータを前記記録媒体に記録することが可能か否かの状態（Ｄｏ０３）に応じて、前記映像出力部に出力する映像に重ね合わせる情報の内容（４１ｋ，４１ｊ）を切り替える、
ことを特徴とする前記［１］に記載の車載記録装置（ドライブレコーダ１０）。
【０１０６】
［６］  自車両に特定の異常状態が発生した時に前記映像のデータおよび前記運行情報のデータを前記記録媒体に自動的に記録する機能を備えた、
ことを特徴とする前記［１］〜［５］のいずれかに記載の車載記録装置（ドライブレコーダ１０）。
【符号の説明】
【０１０７】
１０  ドライブレコーダ
１１  マイクロコンピュータ
１２  不揮発性メモリ
１３  運行情報管理テーブル
１４  メモリカードスロット
１５  記録媒体
１６  メモリ
１７  Ｇセンサ
１８，１９，２３，２４  インタフェース
２０  速度インタフェース
２１  データ処理部
２２  モニタ映像出力部
３１  車載カメラ
３２  ＧＰＳ受信機
３３  車速センサ
４０  外部モニタ表示装置
４１  運行情報表示部
４１ａ，４１ｂ，４１ｃ，４１ｄ，４１ｅ，４１ｆ  表示
４１ｇ，４１ｈ，４１ｉ，４１ｊ，４１ｋ  表示
４２  主映像
４３  表示画面
５０  タクシーメータ車載器
Ｄｏ  運行情報
Ｄｏ０１  入庫／出庫状態
Ｄｏ０２  一般道／高速道／専用道状態
Ｄｏ０３  記録媒体挿入状態
Ｄｏ０４  累積停車時間
Ｄｏ０５  停止時間１０分バー
Ｄｏ０６  運動走行警報カウントダウン
Ｄｏ０７  空車／実車状態
Ｄｏ０８  正乗務員／副乗務員
Ｄｏ０９  陸送モード
Ｄｏ１０  作業時間
Ｄｏ１１  位置情報
Ｄｏ１２  車速
Ｄｏ１３  加速度
【図１】
0006655892.tif 000002
【図２】
0006655892.tif 000003
【図３】
0006655892.tif 000004
【図４】
0006655892.tif 000005